(57)【要約】      （修正有）【課題】複数の空調機に対する試運転を効率的に実行することが可能な設備機器試運転システムを提供する。【解決手段】複数の空調機２１−１〜２１−ｎと、複数の空調機２１−１〜２１−ｎから、各空調機２１−１〜２１−ｎのアドレス、機種情報、およびグループ情報を含む構成情報を取得してサーバ４に送信し、サーバ４で生成された試運転シーケンスを用いて各空調機２１−１〜２１−ｎの試運転を行う通信端末３と、構成情報を用いて、異なるグループの空調機２１−１〜２１−ｎについては並行して試運転を行う試運転シーケンスを生成するサーバ４と、を備える。【選択図】図１
2018204867.tif 000002
【特許請求の範囲】
【請求項１】
複数の空調機と、
前記複数の空調機から、各空調機のアドレス、機種情報、およびグループ情報を含む構成情報を取得してサーバに送信し、前記サーバで生成された試運転シーケンスを用いて各空調機の試運転を行う通信端末と、
前記構成情報を用いて、異なるグループの空調機については並行して試運転を行う前記試運転シーケンスを生成する前記サーバと、
を備える設備機器試運転システム。
【請求項２】
前記通信端末は、試運転を行って各空調機から得られた試運転データを前記サーバに送信し、
前記サーバは、前記試運転データを用いて各空調機の運転状態を判定し、判定結果である試運転結果を前記通信端末に送信する、
請求項１に記載の設備機器試運転システム。
【請求項３】
前記通信端末は、前記構成情報を圧縮して前記サーバに送信し、前記試運転データを圧縮して前記サーバに送信し、
前記サーバは、受信した前記構成情報を伸長し、受信した前記試運転データを伸長し、
また、
前記サーバは、前記試運転シーケンスを圧縮して前記通信端末に送信し、前記試運転結果を圧縮して前記通信端末に送信し、
前記通信端末は、受信した前記試運転シーケンスを伸長し、受信した前記試運転結果を伸長する、
請求項２に記載の設備機器試運転システム。
【発明の詳細な説明】
【技術分野】
【０００１】
本発明は、設備機器の試運転を実行する設備機器試運転システムに関する。
【背景技術】
【０００２】
従来、空調機の試運転を実施するシステムがある。特許文献１には、空調機の試運転を実施し、試運転で異常の無かった空調機についてリモートコントローラからの制御を可能にし、試運転作業の品質向上を実現する技術が開示されている。
【先行技術文献】
【特許文献】
【０００３】
【特許文献１】特開２０１１−１４１０８１号公報
【発明の概要】
【発明が解決しようとする課題】
【０００４】
しかしながら、上記従来の技術によれば、複数の空調機がある場合、各空調機に対して個別に試運転を実施する必要がある。そのため、空調機の数が多くなるほど時間および手間がかかる、という問題があった。
【０００５】
本発明は、上記に鑑みてなされたものであって、複数の空調機に対する試運転を効率的に実行することが可能な設備機器試運転システムを得ることを目的とする。
【課題を解決するための手段】
【０００６】
上述した課題を解決し、目的を達成するために、本発明に係る設備機器試運転システムは、複数の空調機と、複数の空調機から、各空調機のアドレス、機種情報、およびグループ情報を含む構成情報を取得してサーバに送信し、サーバで生成された試運転シーケンスを用いて各空調機の試運転を行う通信端末と、構成情報を用いて、異なるグループの空調機については並行して試運転を行う試運転シーケンスを生成するサーバと、を備える。
【発明の効果】
【０００７】
本発明によれば、設備機器試運転システムは、複数の空調機に対する試運転を効率的に実行することができる、という効果を奏する。
【図面の簡単な説明】
【０００８】
【図１】設備機器試運転システムの構成例を示すブロック図
【図２】設備機器試運転システムにおいて通信端末が空調機から構成情報を収集するまでの動作を示すフローチャート
【図３】設備機器試運転システムにおいて空調機が構成情報を送信する動作を示すフローチャート
【図４】設備機器試運転システムにおいて通信端末が空調機の試運転を行う動作を示すフローチャート
【図５】設備機器試運転システムにおいてサーバが試運転シーケンスを生成する処理の例を示す図
【図６】設備機器試運転システムにおいて空調機が試運転を行って試運転データを送信する動作を示すフローチャート
【図７】設備機器試運転システムにおいてサーバが試運転結果を生成して通信端末で表示する動作を示すフローチャート
【発明を実施するための形態】
【０００９】
以下に、本発明の実施の形態に係る設備機器試運転システムを図面に基づいて詳細に説明する。なお、この実施の形態によりこの発明が限定されるものではない。
【００１０】
実施の形態．
図１は、本発明の実施の形態に係る設備機器試運転システム１の構成例を示すブロック図である。設備機器試運転システム１は、空調システム２ａ，２ｂと、通信端末３と、サーバ４と、を備える。空調システム２ａ，２ｂと、通信端末３とは、空調ネットワークを介して接続している。通信端末３と、サーバ４とは、広域ネットワーク５を介して接続している。広域ネットワーク５は、例えば、インターネットであるが、これに限定されるものではない。空調システム２ａ，２ｂは、同様の構成であり、区別しない場合は空調システム２と称する。図１に示す設備機器試運転システム１では、空調システム２が２つ、通信端末３が１つ、サーバ４が１つとなっているが一例であり、空調システム２が３つ以上、通信端末３およびサーバ４が２つ以上あってもよい。
【００１１】
空調システム２は、設備機器である空調機２１−１，２１−２，…，２１−ｎを備える。ｎは２以上の整数である。空調機２１−１，２１−２，…，２１−ｎを区別しない場合、空調機２１と称する。空調機２１は、室外機、室内機、またはリモートコントローラ（以下、リモコンとする）のいずれかである。空調システム２は、例えば、１つの室外機に複数の室内機が接続され、各室内機に対応した複数のリモコンを備えるシステム構成があるが、これに限定されるものではない。なお、空調システム２ａ，２ｂで異なるグループを形成しているものとする。すなわち、空調システム２ａの空調機２１と、空調システム２ｂの空調機２１とは、異なるグループに属する空調機２１とする。ユーザによって操作された際、同じグループに属する空調機２１は連携して動作する。
【００１２】
空調機２１は、空調ネットワーク通信部２２と、記憶部２３と、試運転制御部２４と、を備える。空調ネットワーク通信部２２は、他の空調機２１、および通信端末３と通信を行う。記憶部２３は、自機すなわち空調機２１の構成情報を記憶している。構成情報には、空調機２１のアドレス、機種情報、およびグループ情報が含まれる。アドレスとは、接続されている空調システム２において各空調機２１に対して割り振られたアドレスを示す値または文字列である。機種情報とは、空調機２１の機種、具体的には前述のように室外機、室内機、またはリモコンを示す値または文字列である。グループ情報とは、空調機２１が属するグループを示す値または文字列である。試運転制御部２４は、通信端末３からのコマンドによって試運転を実行する際に機種毎に設定された動作を行い、試運転データを取得する。試運転データには、例えば、空調機２１が室内機の場合、センサ値として温度センサによって検出された温度などがある。また、試運転データには、例えば、空調機２１が室外機の場合、センサ値として温度センサによって検出された温度、冷媒圧力センサで検出された冷媒の圧力などがあり、アクチュエータ値として膨張弁などの弁開度、ファンなどのモータ回転数などがある。また、試運転データには、例えば、各機種共通で、冷房中、暖房中などの運転状態を示す数値または文字列がある。なお、空調機２１は、本実施の形態で必要な構成のみを示しており、一般的な構成については記載を省略している。
【００１３】
通信端末３は、入力部３１と、シーケンス実行部３２と、記憶部３３と、空調ネットワーク通信部３４と、データ圧縮伸長部３５と、表示部３６と、広域ネットワーク通信部３７と、を備える。入力部３１は、ユーザからの操作を受け付ける。シーケンス実行部３２は、ユーザからの操作に応じて、記憶部３３に記憶されている構成情報収集シーケンスを実行し、各空調機２１から構成情報を取得する。また、シーケンス実行部３２は、サーバ４で生成された試運転シーケンスを実行し、試運転を行って各空調機２１から試運転データを取得する。記憶部３３は、構成情報収集シーケンスを記憶している。記憶部３３は、構成情報収集シーケンスとして、空調ネットワークのプロトコルに則って空調機２１の運転開始、運転停止、機種に応じて各種データを取得するための各種コマンドの情報、各種コマンドを送信する宛先となる宛先アドレスの情報、および、各種コマンドを送信する際にあるコマンドを送信してから次のコマンドを送信するまでの送信間隔などを示す送信タイミングの情報を記憶している。空調ネットワーク通信部３４は、空調機２１と通信を行う。データ圧縮伸長部３５は、サーバ４に送信するデータを圧縮し、サーバ４から受信したデータを伸長する。具体的に、データ圧縮伸長部３５は、サーバ４に送信する構成情報を圧縮し、サーバ４に送信する試運転データを圧縮する。また、データ圧縮伸長部３５は、サーバ４から受信した試運転シーケンスを伸長し、サーバ４から受信した試運転結果を伸長する。表示部３６は、空調機２１から取得した構成情報、サーバ４から取得した試運転結果などを表示する。広域ネットワーク通信部３７は、広域ネットワーク５を介して、サーバ４と通信を行う。
【００１４】
サーバ４は、広域ネットワーク通信部４１と、データ圧縮伸長部４２と、記憶部４３と、試運転シーケンス生成部４４と、試運転データ解析部４５と、を備える。広域ネットワーク通信部４１は、広域ネットワーク５を介して、通信端末３と通信を行う。データ圧縮伸長部４２は、通信端末３に送信するデータを圧縮し、通信端末３から受信したデータを伸長する。具体的に、データ圧縮伸長部４２は、通信端末３に送信する試運転シーケンスを圧縮し、通信端末３に送信する試運転結果を圧縮する。また、データ圧縮伸長部４２は、通信端末３から受信した構成情報を伸長し、通信端末３から受信した試運転データを伸長する。記憶部４３は、通信端末３から受信され、データ圧縮伸長部４２で伸長された構成情報および試運転データを記憶する。試運転シーケンス生成部４４は、記憶部４３に記憶されている構成情報を用いて、通信端末３が空調機２１に対して試運転を実行する際に使用される試運転シーケンスを生成する。試運転データ解析部４５は、記憶部４３に記憶されている試運転データを用いて、各空調機２１の運転状態を判定し、判定内容および異常が検出された場合の異常要因の候補を含む判定結果である試運転結果を生成する。
【００１５】
つづいて、設備機器試運転システム１において、通信端末３が、空調機２１に対して試運転を実行し、空調機２１の試運転結果を得るまでの動作について説明する。図２は、本実施の形態に係る設備機器試運転システム１において通信端末３が空調機２１から構成情報を収集するまでの動作を示すフローチャートである。まず、通信端末３において、入力部３１が、ユーザから構成情報収集の指示を受け付ける（ステップＳ１）。シーケンス実行部３２は、記憶部３３から構成情報収集シーケンスを読み出し、構成情報収集シーケンスを実行する（ステップＳ２）。
【００１６】
シーケンス実行部３２は、空調ネットワーク通信部３４を介して、宛先アドレスで示される空調機２１に対して、構成情報の収集を指示するコマンドを、送信タイミングの情報に基づいて送信する。複数の空調機２１に対するコマンドのうち送信していないコマンドがある場合（ステップＳ３：Ｎｏ）、シーケンス実行部３２は、規定された送信タイミングまで待機する（ステップＳ４：Ｎｏ）。規定された送信タイミングになった場合（ステップＳ４：Ｙｅｓ）、シーケンス実行部３２は、空調ネットワーク通信部３４を介して、構成情報の収集を指示するコマンドを宛先アドレス宛すなわち宛先アドレスで示される空調機２１に送信する（ステップＳ５）。シーケンス実行部３２は、空調ネットワーク通信部３４を介して、宛先アドレスで示される空調機２１から、構成情報の収集を指示するコマンドの応答として、構成情報を受信する（ステップＳ６）。以降、通信端末３は、複数の空調機２１に対するコマンドを全て送信するまで、ステップＳ３：ＮｏからステップＳ６までの動作を繰り返し実行する。
【００１７】
複数の空調機２１に対するコマンドを全て送信した場合（ステップＳ３：Ｙｅｓ）、データ圧縮伸長部３５は、シーケンス実行部３２で受信された全ての構成情報を圧縮する（ステップＳ７）。なお、データ圧縮伸長部３５は、構成情報の内容を表示部３６に表示してもよい。広域ネットワーク通信部３７は、データ圧縮伸長部３５で圧縮された構成情報を、広域ネットワーク５を介して、サーバ４に送信する（ステップＳ８）。
【００１８】
サーバ４では、広域ネットワーク通信部４１が、広域ネットワーク５を介して通信端末３から、圧縮された構成情報を受信する（ステップＳ９）。データ圧縮伸長部４２は、広域ネットワーク通信部４１で受信された、圧縮された構成情報を伸長し、記憶部４３に記憶させる（ステップＳ１０）。なお、広域ネットワーク５で使用可能な通信帯域に対して通信端末３で収集された構成情報のデータサイズが小さい場合、通信端末３での構成情報の圧縮処理、およびサーバ４での構成情報の伸長処理を省略してもよい。
【００１９】
図２のステップＳ５およびステップＳ６における空調機２１の動作について説明する。図３は、本実施の形態に係る設備機器試運転システム１において空調機２１が構成情報を送信する動作を示すフローチャートである。空調機２１において、空調ネットワーク通信部２２は、通信端末３から構成情報の収集を指示するコマンドを受信すると（ステップＳ２１）、記憶部２３から構成情報を読み出す（ステップＳ２２）。空調ネットワーク通信部２２は、構成情報の収集を指示するコマンドに対する応答として、読み出した構成情報を通信端末３に送信する（ステップＳ２３）。
【００２０】
図４は、本実施の形態に係る設備機器試運転システム１において通信端末３が空調機２１の試運転を行う動作を示すフローチャートである。まず、通信端末３において、入力部３１が、ユーザから試運転開始の指示を受け付ける（ステップＳ３１）。シーケンス実行部３２は、データ圧縮伸長部３５を介して、試運転開始の指示を受け付けたことを広域ネットワーク通信部３７に通知する。広域ネットワーク通信部３７は、広域ネットワーク５を介して、試運転シーケンスの生成をサーバ４に依頼する（ステップＳ３２）。
【００２１】
サーバ４において、広域ネットワーク通信部４１は、広域ネットワーク５を介して試運転シーケンスの生成の依頼を受けると、試運転シーケンス生成部４４に対して、試運転シーケンスの生成を指示する。試運転シーケンス生成部４４は、記憶部４３に記憶されている構成情報、および規定されたアルゴリズムを用いて、試運転シーケンスを生成する（ステップＳ３３）。
【００２２】
図５は、本実施の形態に係る設備機器試運転システム１においてサーバ４が試運転シーケンスを生成する処理の例を示す図である。試運転シーケンス生成部４４は、記憶部４３に記憶されている構成情報が図５（ａ）に示す内容の場合、規定されたアルゴリズムとして、図５（ｂ）に示すように、異なるグループに属する空調機２１については並行して試運転を行う内容の試運転シーケンスを生成する。図５（ｂ）に示す試運転シーケンスは、グループ１に属する空調機２１およびグループ２に属する空調機２１について同時に試運転を行うシーケンスを示している。図５（ｂ）の例では、まずグループ１，２に属する室外機を５分間同時に運転し、その後にグループ１，２に属する室内機についてグループ内で順番に５分間ずつ同時に運転させる内容のシーケンスになっている。図５（ｂ）に示す送信タイミングは、通信端末３が試運転を開始したタイミングを「００：００」とし、試運転を開始してからの経過時間を「０５：００」などで示している。設備機器試運転システム１では、異なるグループに属する空調機２１については並行して試運転を行うことで、効率的に試運転を実行することができる。試運転シーケンス生成部４４は、グループが３つ以上になる場合も同様に、異なるグループに属する空調機２１については並行して試運転を行う内容の試運転シーケンスを生成する。
【００２３】
図４の説明に戻る。データ圧縮伸長部４２は、試運転シーケンス生成部４４で生成された試運転シーケンスを圧縮する（ステップＳ３４）。広域ネットワーク通信部４１は、データ圧縮伸長部４２で圧縮された試運転シーケンスを、広域ネットワーク５を介して、通信端末３に送信する（ステップＳ３５）。
【００２４】
通信端末３において、広域ネットワーク通信部３７は、広域ネットワーク５を介してサーバ４から、圧縮された試運転シーケンスを受信する（ステップＳ３６）。データ圧縮伸長部３５は、広域ネットワーク通信部３７で受信された、圧縮された試運転シーケンスを伸長し（ステップＳ３７）、シーケンス実行部３２に出力する。なお、広域ネットワーク５で使用可能な通信帯域に対して試運転シーケンスのデータサイズが小さい場合、サーバ４での試運転シーケンスの圧縮処理、および通信端末３での試運転シーケンスの伸長処理を省略してもよい。シーケンス実行部３２は、データ圧縮伸長部３５から試運転シーケンスを取得し、試運転シーケンスを実行する（ステップＳ３８）。
【００２５】
シーケンス実行部３２は、空調ネットワーク通信部３４を介して、試運転シーケンスに従って、宛先アドレスで示される空調機２１に対して、指示されたコマンドを送信タイミングの情報に基づいて送信する。シーケンス実行部３２は、試運転シーケンスに従ってコマンドを送信することによって、グループの異なる複数の空調機２１に対してコマンドを送信することになる。試運転シーケンスに示される空調機２１に対するコマンドのうち送信していないコマンドがある場合（ステップＳ３９：Ｎｏ）、シーケンス実行部３２は、規定された送信タイミングまで待機する（ステップＳ４０：Ｎｏ）。規定された送信タイミングになった場合（ステップＳ４０：Ｙｅｓ）、シーケンス実行部３２は、空調ネットワーク通信部３４を介して、試運転シーケンスで指示されたコマンドを宛先アドレス宛すなわち宛先アドレスで示される空調機２１に送信する（ステップＳ４１）。シーケンス実行部３２は、空調ネットワーク通信部３４を介して、宛先アドレスで示される空調機２１から、送信したコマンドの応答として、試運転データを受信する（ステップＳ４２）。以降、通信端末３は、試運転シーケンスに示される複数の空調機２１に対するコマンドを全て送信するまで、ステップＳ３９：ＮｏからステップＳ４２までの動作を繰り返し実行する。
【００２６】
試運転シーケンスに示される複数の空調機２１に対するコマンドを全て送信した場合（ステップＳ３９：Ｙｅｓ）、データ圧縮伸長部３５は、シーケンス実行部３２で受信された全ての試運転データを圧縮する（ステップＳ４３）。なお、データ圧縮伸長部３５は、試運転データの内容を表示部３６に表示してもよい。広域ネットワーク通信部３７は、データ圧縮伸長部３５で圧縮された試運転データを、広域ネットワーク５を介して、サーバ４に送信する（ステップＳ４４）。
【００２７】
サーバ４では、広域ネットワーク通信部４１が、広域ネットワーク５を介して通信端末３から、圧縮された試運転データを受信する（ステップＳ４５）。データ圧縮伸長部４２は、広域ネットワーク通信部４１で受信された、圧縮された試運転データを伸長し、記憶部４３に記憶させる（ステップＳ４６）。なお、広域ネットワーク５で使用可能な通信帯域に対して試運転データのデータサイズが小さい場合、通信端末３での試運転データの圧縮処理、およびサーバ４での試運転データの伸長処理を省略してもよい。
【００２８】
図４のステップＳ４１およびステップＳ４２における空調機２１の動作について説明する。図６は、本実施の形態に係る設備機器試運転システム１において空調機２１が試運転を行って試運転データを送信する動作を示すフローチャートである。空調機２１において、空調ネットワーク通信部２２は、通信端末３から試運転を指示するコマンドを受信すると（ステップＳ５１）、受信したコマンドを試運転制御部２４に出力する。試運転制御部２４は、取得したコマンドに基づいて空調機２１の試運転を実行し（ステップＳ５２）、試運転データを取得する（ステップＳ５３）。試運転データは、室外機、室内機などによって内容が異なる。試運転制御部２４は、自機すなわち空調機２１が室内機の場合、試運転を行って、試運転データとして、温度センサからセンサ値すなわち温度を取得する。また、試運転制御部２４は、自機すなわち空調機２１が室外機の場合、試運転を行って、試運転データとして、温度センサからセンサ値すなわち温度を取得し、冷媒圧力センサからセンサ値すなわち冷媒の圧力を取得し、さらに膨張弁の弁開度、ファンのモータ回転数などのアクチュエータ値を取得する。試運転制御部２４は、取得した試運転データを空調ネットワーク通信部２２に出力する。空調ネットワーク通信部２２は、試運転のコマンドに対する応答として、試運転制御部２４から取得した試運転データを通信端末３に送信する（ステップＳ５４）。
【００２９】
図７は、本実施の形態に係る設備機器試運転システム１においてサーバ４が試運転結果を生成して通信端末３で表示する動作を示すフローチャートである。サーバ４において、試運転データ解析部４５は、記憶部４３から試運転データを読み出し、試運転データで示される各空調機２１の状態を判定し、各空調機２１の状態を示す試運転結果を生成する（ステップＳ６１）。試運転データ解析部４５は、例えば、冷房中、暖房中など、各空調機２１の運転状態に応じて、センサ値およびアクチュエータ値の各項目に対して、正常すなわち異常が無い状態のときの正常値の情報を予め保持しておく。正常値については、項目によって上限値のみ、下限値のみ、上限値および下限値のパターンが考えられる。試運転データ解析部４５は、空調機２１から取得した試運転データのセンサ値およびアクチュエータ値と正常値とを比較して、センサ値およびアクチュエータ値が全て正常値の範囲内の場合、空調機２１の状態は良好で異常は無いと判定する。試運転データ解析部４５は、空調機２１から取得した試運転データのセンサ値およびアクチュエータ値と正常値とを比較して、センサ値およびアクチュエータ値のうち１つ以上で正常値から外れるものがあった場合、空調機２１に異常が有ると判定する。試運転データ解析部４５は、異常無しの場合は異常無しを示す試運転結果を生成する。また、試運転データ解析部４５は、異常有りの場合は異常有りを示し、かつ異常の要因候補の情報を示す試運転結果を生成する。異常の要因候補には、正常値から外れた実際のセンサ値またはアクチュエータ値を含めてもよい。試運転データ解析部４５は、全ての空調機２１について試運転結果を生成する。データ圧縮伸長部４２は、試運転データ解析部４５で生成された試運転結果を圧縮する（ステップＳ６２）。広域ネットワーク通信部４１は、データ圧縮伸長部４２で圧縮された試運転結果を、広域ネットワーク５を介して、通信端末３に送信する（ステップＳ６３）。
【００３０】
通信端末３において、広域ネットワーク通信部３７は、広域ネットワーク５を介してサーバ４から、圧縮された試運転結果を受信する（ステップＳ６４）。データ圧縮伸長部３５は、広域ネットワーク通信部３７で受信された、圧縮された試運転結果を伸長し、表示部３６に表示する（ステップＳ６５）。これにより、ユーザは、通信端末３の表示部３６を確認することによって、各空調機２１の状態を把握することができる。なお、広域ネットワーク５で使用可能な通信帯域に対して試運転結果のデータサイズが小さい場合、サーバ４での試運転結果の圧縮処理、および通信端末３での試運転結果の伸長処理を省略してもよい。
【００３１】
設備機器試運転システム１では、通信端末３が、図２のフローチャートではユーザから構成情報収集の指示を受け付け、図４のフローチャートではユーザから試運転開始の指示を受け付けてから各処理を行っていたが、一例であり、通信端末３が１つの指示を受け付けてから全ての処理を開始してもよい。設備機器試運転システム１は、例えば、通信端末３でユーザから試運転開始の指示を受け付けると、まず、構成情報を収集し、構成情報の収集後、試運転開始の処理を行ってもよい。また、サーバ４は、試運転データを取得する毎に試運転結果を生成する処理を行うようにしてもよい。
【００３２】
ここで、設備機器試運転システム１を構成する各機器のハードウェア構成について説明する。空調機２１において、空調ネットワーク通信部２２はインタフェース回路である。記憶部２３はメモリである。試運転制御部２４は処置回路により実現される。処理回路は、専用のハードウェアであってもよいし、メモリに格納されるプログラムを実行するＣＰＵ（Central  Processing  Unit）およびメモリであってもよい。
【００３３】
処理回路が専用のハードウェアである場合、処理回路は、例えば、単一回路、複合回路、プログラム化したプロセッサ、並列プログラム化したプロセッサ、ＡＳＩＣ（Application  Specific  Integrated  Circuit）、ＦＰＧＡ（Field  Programmable  Gate  Array）、またはこれらを組み合わせたものが該当する。
【００３４】
処理回路がＣＰＵおよびメモリで構成される場合、空調機２１の各機能は、ソフトウェア、ファームウェア、またはソフトウェアとファームウェアとの組み合わせにより実現される。ソフトウェアまたはファームウェアはプログラムとして記述され、メモリに格納される。処理回路では、メモリに記憶されたプログラムをＣＰＵが読み出して実行することにより、各機能を実現する。ここで、ＣＰＵは、処理装置、演算装置、マイクロプロセッサ、マイクロコンピュータ、プロセッサ、またはＤＳＰ（Digital  Signal  Processor）などであってもよい。また、メモリは、例えば、ＲＡＭ（Random  Access  Memory）、ＲＯＭ（Read  Only  Memory）、フラッシュメモリ、ＥＰＲＯＭ（Erasable  Programmable  ＲＯＭ）、ＥＥＰＲＯＭ（登録商標）（Electrically  ＥＰＲＯＭ）などの、不揮発性または揮発性の半導体メモリ、磁気ディスク、フレキシブルディスク、光ディスク、コンパクトディスク、ミニディスク、またはＤＶＤ（Digital  Versatile  Disc）などが該当する。
【００３５】
空調機２１の各機能について、一部を専用のハードウェアで実現し、一部をソフトウェアまたはファームウェアで実現するようにしてもよい。このように、処理回路は、専用のハードウェア、ソフトウェア、ファームウェア、またはこれらの組み合わせによって、上述の各機能を実現することができる。
【００３６】
また、通信端末３において、入力部３１はボタンなどのインタフェースである。記憶部３３はメモリである。空調ネットワーク通信部３４および広域ネットワーク通信部３７はインタフェース回路である。表示部３６はＬＣＤ（Liquid  Crystal  Display）などのモニタである。シーケンス実行部３２およびデータ圧縮伸長部３５は処理回路により実現される。通信端末３の処理回路は、空調機２１の処理回路と同様、専用のハードウェアであってもよいし、メモリに格納されるプログラムを実行するＣＰＵおよびメモリであってもよい。
【００３７】
また、サーバ４において、広域ネットワーク通信部４１はインタフェース回路である。記憶部４３はメモリである。データ圧縮伸長部４２、試運転シーケンス生成部４４、および試運転データ解析部４５は処理回路により実現される。サーバ４の処理回路は、空調機２１の処理回路と同様、専用のハードウェアであってもよいし、メモリに格納されるプログラムを実行するＣＰＵおよびメモリであってもよい。
【００３８】
以上説明したように、本実施の形態によれば、設備機器試運転システム１において、通信端末３は、複数の空調機２１から構成情報を収集し、サーバ４は、構成情報を用いて、異なるグループの空調機２１については並行して試運転を行う試運転シーケンスを生成することとした。これにより、通信端末３は、試運転シーケンスに従って空調機２１に対して試運転を行うことにより、複数の空調機２１に対する試運転を効率的に実行することができる。すなわち、本実施の形態において、通信端末３は、個別に空調機２１の試運転を実行する場合と比較して、短い時間で空調機２１の試運転を実行することができる。
【００３９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４０】
１  設備機器試運転システム、２ａ，２ｂ  空調システム、３  通信端末、４  サーバ、５  広域ネットワーク、２１−１〜２１−ｎ  空調機、２２，３４  空調ネットワーク通信部、２３，３３，４３  記憶部、２４  試運転制御部、３１  入力部、３２  シーケンス実行部、３５，４２  データ圧縮伸長部、３６  表示部、３７，４１  広域ネットワーク通信部、４４  試運転シーケンス生成部、４５  試運転データ解析部。
【図１】
2018204867.tif 000003
【図２】
2018204867.tif 000004
【図３】
2018204867.tif 000005
【図４】
2018204867.tif 000006
【図５】
2018204867.tif 000007
【図６】
2018204867.tif 000008
【図７】
2018204867.tif 000009